(57)【要約】      （修正有）【課題】ベルト本体に取り付けた支持体によってキーホルダー、チェーン等を連繋支持させ、ベルト通しへの挿通に邪魔にならず、ベルト本体を損傷させないベルトを提供する。【解決手段】ベルト本体１に、ベルト本体１と同効素材にて形成したループ状の支持体１０を移動自在にして着脱自在に取り付けて成る。支持体１０は、ベルト本体１の幅員の表裏の合計長さに比しやや長くなっている帯状部材の両端を突き合わせ、その端部相互に跨る接合金具１１によって連結することでベルト本体１を囲繞するに足りる扁平なループ状に形成する。ベルト本体１に取り付けたときのベルト本体１の下方に位置する支持体１０自体の下部に閉塞形成された連繋部１２に支持リング１４を連結する。連繋部１２は支持体１０の下部における支持体１０自体の帯状部材の一部を重ね合わせ、その重ね合わせの上端部分で縫合１３して閉塞形成した空隙として設けてある。【選択図】図１
0003204173.tif 000002
【実用新案登録請求の範囲】
【請求項１】
ベルト本体にループ状の支持体を移動自在にして着脱自在に取り付けて成り、支持体は、ベルト本体を囲繞するに足りる扁平なループ状に形成されていると共に、ベルト本体に取り付けたときのベルト本体の下方に位置する支持体自体の下部に閉塞形成された連繋部に支持リングを連結して成ることを特徴とするベルト。
【請求項２】
支持体はベルト本体と同効素材にて形成してある請求項１に記載のベルト。
【請求項３】
支持体は、ベルト本体の幅員の表裏の合計長さに比しやや長くなっている帯状部材の両端を突き合わせ、その端部相互に跨る接合金具によって連結してある請求項１または２に記載のベルト。
【請求項４】
支持体は帯状部材をループ状に連結することで形成されていて、連繋部は支持体の下部における支持体自体の帯状部材の一部を重ね合わせ、その重ね合わせの上端部分で縫合して閉塞形成することで得られる空隙として設けてある請求項１乃至３のいずれかに記載のベルト。
【請求項５】
ベルト本体にループ状の支持体を移動自在にして着脱自在に取り付けて成り、支持体はベルト本体と同効素材にて形成してあって、ベルト本体の幅員の表裏の合計長さに比しやや長くなっている帯状部材の両端を突き合わせ、その端部相互に跨る接合金具によって連結することでベルト本体を囲繞するに足りる扁平なループ状に形成されていると共に、ベルト本体に取り付けたときのベルト本体の下方に位置する支持体自体の下部に閉塞形成された連繋部に支持リングを連結して成り、連繋部は支持体の下部における支持体自体の帯状部材の一部を重ね合わせ、その重ね合わせの上端部分で縫合して閉塞形成することで得られる空隙として設けてあることを特徴とするベルト。
【考案の詳細な説明】
【技術分野】
【０００１】
この考案は、例えば鍵等を束状にして支持しているキーホルダー、財布等が連結されているチェーンその他を連繋支持できるようにしたベルトに関する。
【背景技術】
【０００２】
近時、使用・保管する各種の複数の鍵等を携帯持参するのに、これらを束状に纏めたキーホルダーをベルト通し等に連繋したり、パンツ・スラックス等のポケットに収納した財布等の盗難防止等のために財布等に連結したチェーン等をベルト通し等に連繋したりして携帯持参することが、ファション性を兼ねることもあって多く見受けられるようになっている。
【０００３】
ただ、こうしたベルト通しを利用した多数の鍵、財布等の携帯支持は、束ねた鍵等が多数であると重量的に嵩張り、ベルト通しに多大な負荷を掛けることになる。また、体裁がよいファション性・重厚性等が考慮された各種態様のキーチェーン、ウォレットチェーン等であると、その重量によって同様にベルト通しに多大な負担を掛けることになる。しかも鍵を束状に纏めているキーホルダー、チェーン等におけるフック部分はその多くが金属製であるため、布生地製であるベルト通しでは、加重な負荷が掛かっていることもあって擦れや引っ張り等の影響でほつれたり、切れたり等で破損、損傷されることとなる。損傷されると、パンツ本体との共生地がない場合にはその修繕も困難であり、不体裁なものとなる。
【０００４】
このようにベルト通しを利用したキーホルダーの支持の不都合を解消すべく、特許文献１に示されたキーホルダー、特許文献２に示された着脱式ベルトループ等が提案されている。特許文献１のキーホルダーはベルトに着脱可能にした断面で角Ｃ型を呈する基体に形成したスリットに、このスリットに係止する掛止片を備えた連結具を設けて成り、この連結具に鍵輪を連繋するようにして成る。特許文献２のベルトループは、ズボンのウエスト部分に着脱させるようにウエスト部分を強制的に挟み込むようにした差込部に、ベルトが通されるループ状のベルト通し部を設け、このベルト通し部の上部に形成した開閉部を経て例えばウエストバッグ、キーホルダー等の小物を取り付けられるようにして成る。
【先行技術文献】
【特許文献】
【０００５】
【特許文献１】実開昭６１−１９０２８４号公報
【特許文献２】特開２０１０−１８０５１８号公報
【考案の概要】
【考案が解決しようとする課題】
【０００６】
ところが、特許文献１のキーホルダーでは、断面で角Ｃ型の基体を拡げることでベルトの任位置に取り付け可能であっても、ベルトに着脱させるために繰り返して拡げることで基体を損傷させてしまうことがあり、また鍵輪を掛止するスリットの剛性構造のためには基体自体が金属製の剛性ある素材によって構成される必要がある。その結果、ベルトへの繰り返される着脱操作等によってベルトが損傷されることがある。特許文献２のベルトループでは、ズボンのウエスト縁を挟み込むことで取り付けるために、これが繰り返されるとウエスト縁を損傷させる虞があり、ベルト通し部は、これの上部に形成した開閉部の開閉操作が繰り返死に十分に耐え得るように剛性素材によるものとすれば、これに通されるベルトは、特許文献１におけると同様に損傷されることになる。
【０００７】
そこでこの考案は上述したような従来存した諸事情に鑑み案出されたもので、ベルト本体自体にループ状の支持体を取り付け、この支持体によってキーホルダー、チェーン等を連繋支持させることで、ベルト本体をベルト通しに挿通させる際に邪魔になることもなく、またベルト本体を損傷させることなくベルト本体の任位置でキーホルダー、チェーン等を連繋支持できるようにしたベルトを提供することにある。
【課題を解決するための手段】
【０００８】
上述した課題を解決するため、この考案にあっては、後述する考案を実施するための形態における使用符号を付記して説明すると、ベルト本体１にループ状の支持体１０を移動自在にして着脱自在に取り付けて成り、支持体１０は、ベルト本体１を囲繞するに足りる扁平なループ状に形成されていると共に、ベルト本体１に取り付けたときのベルト本体１の下方に位置する支持体１０自体の下部に閉塞形成された連繋部１２に支持リング１４を連結して成ることを特徴とする。
また、支持体１０はベルト本体１と同効素材にて形成することができ、ベルト本体１の幅員の表裏の合計長さに比しやや長くなっている帯状部材の両端を突き合わせ、その端部相互に跨る接合金具１１によって連結して構成することができる。
支持体１０は帯状部材をループ状に連結することで形成されていて、連繋部１２は支持体１０の下部における支持体１０自体の帯状部材の一部を重ね合わせ、その重ね合わせの上端部分で縫合（１３）して閉塞形成することで得られる空隙として設けられることで構成することができる。
【０００９】
以上のように構成されたこの考案に係るベルトにあって、ベルト本体１に取り付けた支持体１０は、この支持体１０の支持リング１４によって例えばキーホルダー、チェーンその他をベルト本体１の任位置で連繋支持でき、これらによる重量等を十分に支持させ、ベルト本体１に対して移動させてもベルト本体１等を損傷させない。
支持体１０は、ベルト本体１の幅員方向で囲繞する帯状部材を接合金具１１で連結したループ状であることで、ベルト本体１に簡単に組合せて取り付けさせるよう着脱自在であり、またベルト本体１に沿っての移動も自在にさせる。
支持体１０に連結した支持リング１４は、支持体１０自体の下部に縫合（１３）で閉塞形成した空隙である連繋部１２に連結されていることで、この支持リング１４に連繋されるキーホルダーＫ等によって支持体１０自体、ベルト本体１自体等を損傷させない。
【考案の効果】
【００１０】
この考案は以上説明したように構成されているため、ベルト本体１自体にループ状の支持体１０を取り付け、この支持体１０によってキーホルダーＫ、チェーン等を連繋させることで、パンツ類におけるベルト通し、ウエスト縁等を損傷させることなく、キーホルダーＫ等を支持できる。また、支持体１０自体は、ベルト本体１をベルト通しに挿通させる際に邪魔になることもなく、またベルト本体１を損傷させることなくベルト本体１の任位置でキーホルダーＫ、チェーン等を連繋支持できるのであり、不要であれば支持体１０をベルト本体１から取り外することも可能である。
【００１１】
すなわちこれはこの考案において、ベルト本体１に移動、着脱自在に取り付けた支持体１０が、ベルト本体１を囲繞するに足りる扁平なループ状に形成されていると共に、ベルト本体１の下方に位置する支持体１０自体の下部に閉塞形成された連繋部１２に支持リング１４を連結して成るからであり、これによって、重量的に嵩張るキーホルダーＫ等の連繋支持、ベルト本体１に対する移動可能な任位置での支持等を可能にしている。
【００１２】
また、支持体１０は、ベルト本体１と同効素材の帯状部材とし、接合金具１１によってループ状に形成することで、ベルト本体１とのデザイン上での一体性を図ることができると共に、携帯持参する際にベルト本体１に対して、キーホルダーＫ等の支持部位を調整させるべく支持体１０を任位置に移動しても、ベルト本体１その他を損傷させることもなく、ベルト本体１の良好な体裁を保つこともできる。
【００１３】
支持体１０の下部には、支持体１０自体の帯状部材の一部を重ね合わせ、その重ね合わせの上端部分で縫合（１３）して閉塞形成することで得られる空隙を、支持リング１４を連結する連繋部１２とすることで、支持リング１４を支持体１０と確実に一体化でき、支持リング１４によるキーホルダーＫ等の支持連繋を安定的に維持することができる。
【００１４】
尚、上記の課題を解決するための手段、考案の効果の項それぞれにおいて付記した符号は、図面中に記載した構成各部を示す部分との参照を容易にするために付した。この考案は、これらの記載、図面中の符号等によって示された構造・形状等に限定されない。
【図面の簡単な説明】
【００１５】
【図１】この考案を実施するための一形態を示す一部省略の分解斜視図である。
【図２】同じく要部側面断面図である。
【図３】同じく要部断面図である。
【図４】同じく使用状態の斜視図である。
【考案を実施するための形態】
【００１６】
以下、図面を参照してこの考案を実施するための一形態を説明すると、図において示される符号１は、尾錠を備え、所定長さ・幅員を有して例えば皮革材、合成樹脂材等によって形成されたベルト本体であり、このベルト本体１に支持体１０が移動自在とされて、着脱自在に取り付けられている。
【００１７】
支持体１０は、図２、図３に示すように、ベルト本体１を囲繞するに足りる帯状部材によって扁平なループ状に形成されていると共に、ベルト本体１に取り付けたときのベルト本体１の下方に位置する支持体１０自体の下部に閉塞形成された連繋部１２に支持リング１４を連結して成る。
【００１８】
この支持体１０自体は、例えばベルト本体１と同効な素材によって形成されており、同効素材とすることでベルト本体１との一体的なデザイン性を保持できるも、これに限定されないことは勿論である。図示のように、この支持体１０は、ベルト本体１における幅員方向で囲繞するように、ベルト本体１の幅員の表裏の合計長さに比しやや長くなっている帯状部材の両端を突き合わせ、その突き合わせた端部相互に跨る接合金具１１によって連結することで扁平なループ状に構成される。
【００１９】
また、支持体１０の下部に形成した連繋部１２は、図示するように、例えば支持体１０の下部における支持体１０自体の帯状部材の一部を重ね合わせ、その重ね合わせの上端部分で例えば縫合する（１３）ことで閉塞形成することによって得られる空隙として設けられる。こうすることで、連繋部１２におけるキーホルダー等の所定重量を十分に支持可能であって、連繋部１２自体の支持体１０との簡素で一体的構成を可能とすることができるも、これに限定されないことも勿論である。また、この連繋部１２における空隙の大きさは、支持リング１４を挿通させるに十分な内径を備えていれば足りる。
【００２０】
連繋部１２に連結される前記支持リング１４は、例えば所定径の金属番線材のループ状となる折曲によって形成されている。なお、支持体１０の構成に際し、この支持体１０素材に支持リング１４が挿通された後に、支持体１０をループ状にし、また縫合する（１３）ことによって連繋部１２が構成されることは勿論である。
【００２１】
次にこれの使用の一例を説明すると、支持体１０がベルト本体１の例えば端部から挿通されることでベルト本体１に組み合わせられており、ズボンその他のパンツ類のベルト通しにベルト本体１が挿通支持されることでパンツ類を支持するものとして使用される。このとき、図４に示すようにキーホルダー、チェーン等を支持すべく、支持体１０をベルト本体１における所定の任位置に設定すればよく、支持リング１４にキーホルダーＫ、チェーンフック等を連繋すればよいのである。
【符号の説明】
【００２２】
Ｋ…キーホルダー
１…ベルト本体
１０…支持体                            １１…接合金具
１２…連繋部                            １３…縫合
１４…支持リング
【図１】
0003204173.tif 000003
【図２】
0003204173.tif 000004
【図３】
0003204173.tif 000005
【図４】
0003204173.tif 000006